(57)【要約】【課題】  当て板を使用することなく、積層束の角部を変形させない状態で載置台に固定可能な平版印刷版の梱包構造を得る。【解決手段】  載置台５０に載置された状態の積層束５８の積層面に緩衝部材８４を当てがい、載置台５０、積層束５８及び緩衝部材８４を一体にした状態でストレッチフィルム３８を巻回し、積層束５８及び緩衝部材８４を載置台５０に固定する。これにより、平版印刷版１０に作用する収縮力は緩衝部材８４で緩和されることとなり、平版印刷版１０に大きな収縮力が作用することはなく、平版印刷版１０に歪みや変形が生じることを防止することができる。【選択図】        図２
2006256639.tif 000002
【特許請求の範囲】
【請求項１】
平版印刷版を積層した積層束の積層面を支持する載置台と、
前記載置台から立ち上がり前記積層束の印刷面を支持する背もたれと、
前記載置台に載置された前記積層束の３方の積層面に設けられ、弾性変形可能な緩衝部材と、
収縮力によって前記緩衝部材と前記積層束と前記載置台とを一体的に包装する伸縮性フィルムと、
前記載置台の下部が固定可能で、運搬装置の荷受部材が挿入可能な脚体と、
を有することを特徴とする平版印刷版の梱包構造。
【発明の詳細な説明】
【技術分野】
【０００１】
本発明は、平版印刷版の梱包構造に関し、例えば大量の平版印刷版を一括して荷扱いするための平版印刷版の梱包構造に関する。
【背景技術】
【０００２】
近年の製版法（電子写真製版法を含む）において、製版工程の自動化を容易にすべく広く用いられている平版印刷版（感光性印刷版や感熱性印刷板等）は、一枚の薄い支持体（アルミニウム板等）上に感光層又は感熱層を塗布して構成されている。
【０００３】
この平版印刷版を荷扱いする場合、荷扱いの回数を減らして運搬や保管を低コストで行うために、大量の平版印刷版を厚み方向に積層して平版印刷版の束を構成し、この束をパレット等の積載部材に積載、包装することがある。
【０００４】
図５には、このような梱包構造の一例が示されている（特許文献１）。この梱包構造１１０では、底板１１２に対して傾斜して立設された端板１１４に、所要枚の印刷版１１６の束１１８をもたせかけた後、別の端板１２０（以下、「当て板１２０」という）を束１１８の表面側に当てがい、次いで端板１１４と端板１２０とをボルト１２２により締結して、束１１８を固定するようになっている。
【０００５】
一方、感光性印刷板及び感熱性印刷板は、いずれも一枚の薄い板状とされているため、角や辺等に傷や変形があると、感光や感熱によって現像した際に像がぼけたり、印刷した際にインクが不均一になる等の問題が生じやすい。
【０００６】
このため、当て板１２０は印刷版１１６よりも大きなサイズとされており、印刷版１１６を保護して、印刷版１１６の角や辺に傷や変形を生じさせないようにしている。
【０００７】
しかしながら、当て板１２０は、束１１８の正面の全面にわたって接触するようになっているため、重量が大きくなり、束１１８を固定あるいは固定解除するときや、運搬するとき、あるいは当て板１２０を回収するとき等の取り扱いが不便であった。
【特許文献１】特開平３−７３９４６号公報
【発明の開示】
【発明が解決しようとする課題】
【０００８】
本発明は、上記事実を考慮し、当て板を使用することなく、積層束の角部を変形させない状態で載置台に固定可能な平版印刷版の梱包構造を得ることを課題とする。
【課題を解決するための手段】
【０００９】
請求項１に記載の発明は、平版印刷版の梱包構造において、平版印刷版を積層した積層束の積層面を支持する載置台と、前記載置台から立ち上がり前記積層束の印刷面を支持する背もたれと、前記載置台に載置された前記積層束の３方の積層面に設けられ、弾性変形可能な緩衝部材と、収縮力によって前記緩衝部材と前記積層束と前記載置台とを一体的に包装する伸縮性フィルムと、前記載置台の下部が固定可能で、運搬装置の荷受部材が挿入可能な脚体と、を有することを特徴とする。
【００１０】
請求項１に記載の発明では、載置台から立ち上がる背もたれを設け、積層束の積層面を載置台で支持させ、積層束の印刷面を背もたれで支持させる。つまり、積層束をいわゆる縦置き配置することで、平版印刷版の枚数の多少に関わらず、梱包構造全体としては略一定の高さとなるため、保管場所で平版印刷版の上方に無駄なスペースを生じさせることなく、効率的に保管することができる。
【００１１】
また、平版印刷版は自重によって載置台側の積層面を揃えた状態で載置されることになるので、例えば平版印刷版を製版機に装填する作業が容易になる。さらに、積層束を背もたれに立て掛けるようにして、積層束の荷重を載置台及び背もたれの２面に分散させることで、梱包を解いた状態で、積層束が不用意に倒れたり、ずり落ちたりしないようにしている。
【００１２】
ここで、平版印刷版が積層して構成された積層束が載置台に載置された状態で積層束の３方の積層面には緩衝部材を設けている。この状態で、緩衝部材、積層束及び載置台を伸縮性フィルムで巻回し、該伸縮性フィルムの収縮力によって緩衝部材と積層束と載置台とを一体的に包装する。
【００１３】
このように、積層束を載置台に載置し積層束の３方の積層面に緩衝部材を設けた状態で、緩衝部材、積層束及び載置台を伸縮性フィルムで巻回すため、積層束を構成する平版印刷版に作用する収縮力は緩衝部材で緩和されることとなり、平版印刷版に大きな収縮力が作用することはなく、平版印刷版に歪みや変形が生じることを防止することができる。
【００１４】
従って、感光や感熱によって現像した際に像がぼけたり、印刷した際にインクが不均一になる等の問題は生じない。つまり、本発明によれば、当て板を使用することなく、積層束を傷つけない状態で載置台に固定することができる。
【００１５】
また、載置台に積層束が載置された状態で伸縮性フィルムが巻回され、伸縮性フィルムの収縮力によって、積層束と載置台とが一体的に固定されるため、不用意に積層束が載置台に対してズレたり、載置台から分離、脱落してしまうことがない。
【００１６】
さらに、伸縮性フィルムを緩衝部材、積層束及び載置台に巻回すだけなので容易に梱包できる。また、当て板を必要としないため、積層束が大サイズの平版印刷版により構成されている場合でも、積層束の梱包及び開梱作業時の負荷が軽減されると共に、積層体を梱包するために必要となるリユース部材の量を減少させることができる。
【００１７】
さらに、開梱時には、伸縮性フィルムをカッターなどで切断して除去するだけで良いので、作業性も良い。また、伸縮性フィルムを巻回して複数の積層束を載置台に固定することができるので、大量の平版印刷版を少ない荷扱い回数で荷扱いできるようになる。
【００１８】
ところで、一般的に平版印刷版はサイズが多岐に渡るため、サイズを幾つかのゾーンに分け、数種類の載置台で幾つかの製品サイズを兼用している。そのため、載置台と積層束の間には段差が生じ、伸縮性フィルムによる側面巻の締結方式においては、締結力低下をもたらす結果となってしまうが、該段差を埋めるように緩衝部材を配置することで、締結力の低下を防止することができ、強固な締結を確保することができる。
【００１９】
一方、載置台の下部には、運搬装置の荷受部材が挿入可能な脚体を固定可能としており、伸縮性フィルムで包装された積層束を運搬可能としている。
【００２０】
載置台の下部に脚体が予め一体となった状態では、伸縮性フィルムで載置台と共に積層束を巻回すとき該脚体が邪魔になったり、或いは、フォークリフトなどの運搬装置の荷受部材が挿入可能な脚体の挿入部が伸縮性フィルムによってふさがれてしまったり、いずれにしても作業性が悪い。
【００２１】
このため、伸縮性フィルムで積層束及び載置台を一体的に包装した後で、載置台の下部に脚体を固定することで、上記のような問題点を解決することができ、作業効率が向上する。
【発明の効果】
【００２２】
本発明は、上記構成としたので、積層束が載置台に載置された状態で積層束の３方の積層面に緩衝部材を設けた状態で、緩衝部材、積層束及び載置台を伸縮性フィルムで巻回すため、積層束を構成する平版印刷版に作用する収縮力は緩衝部材で緩和されることとなり、平版印刷版に大きな収縮力が作用することはなく、平版印刷版に歪みや変形が生じることを防止することができる。このため、本発明によれば、当て板を使用することなく、積層束を傷つけない状態で載置台に固定することができる。
【発明を実施するための最良の形態】
【００２３】
図１及び図２には、本発明の実施形態に係る平版印刷版１０（感光性印刷版又は感熱性印刷版）の積層束１２を梱包した梱包構造（以下、単に「梱包構造」という）３０が示されている。
【００２４】
平版印刷版１０は、長方形の板状に形成された薄いアルミニウム製の支持体上に、電子写真感光層（感熱性印刷版の場合には感熱層）を塗布して形成されている。平版印刷版１０の形状等は特に限定されないが、本実施形態では一例として、０．３ｍｍ×１３１０ｍｍ×１０５０ｍｍのアルミニウム板上に、感光層又は感熱層が塗布されたものを使用している。
【００２５】
そして、図４からも分かるように、電子写真感光層を保護する合紙１４と、平版印刷版１０と、を交互に厚み方向に重ね合わせ、さらに重ね合わせ方向の両端面に保護用厚紙２２を配置して、平版印刷版１０の積層束１２が構成されている。
【００２６】
本実施形態では、合紙１４として、漂白クラフトパルプから抄造した坪量２０〜４５ｇ／ｍ2、密度０．７〜０．８５ｇ／ｃｍ3、水分４〜６％、ベック平滑度１０〜８００秒、ＰＨ４〜６の合紙１４を使用し、この合紙１４を平版印刷版１０の電子写真感光層に密着させている。また、保護用厚紙２２としては、故紙から抄造した坪量２００〜１５００ｇ／ｍ2、密度０．７〜０．８５ｇ／ｃｍ3、水分４〜８％、ベック平滑度３〜２０秒、ＰＨ４〜６の保護用厚紙２２を使用している。
【００２７】
１つの積層束１２を構成する平版印刷版１０の数は特に限定されないが、運搬や保管の効率化の観点等から、例えば１０枚〜１００枚とすることができる。また、このように１０枚〜１００枚の平版印刷版１０によって積層束１２を構成した場合には、平版印刷版１０と保護用厚紙２２とがずれないように、図示はしないが粘着テープ等の固定手段でこれらを固定することが好ましい。
【００２８】
また、さらに多くの平版印刷版１０によって積層束１２を構成し、より効率的に（少ない荷扱いの回数で）運搬や保管をできるようにすることも可能である。この場合、例えば、平版印刷版１０の枚数を２００〜２０００枚程度とし、積層された平版印刷版１０の上下だけでなく、平版印刷版１０の２０〜１００枚ごとに保護用厚紙２２を入れるようにしてもよい。さらに、平版印刷版１０の種類によっては、合紙１４、保護用厚紙２２及び粘着テープを省略してもよい。
【００２９】
一方、図１及び図２に示すように、積層束１２を運搬する運搬部材６８は、載置部７０と脚体７２とを備えており、載置部７０と脚体７２とはボルト７４による締結によって一体となる。
【００３０】
載置部７０は載置台５０と支持板（背もたれ）５４とを備えており、載置面５０Ａと支持面５４Ａとで構成される角度が直角を成している。載置台５０は支持板５４の裏面側へも延出しており、延出した部分（延出部７６）にはボルト７４がねじ込み可能なねじ孔７８が形成されている。また、載置台５０の延出部７６の反対側には、ねじ孔７８に対応してボルト７４がねじ込み可能なねじ孔７８が形成されている。
【００３１】
一方、脚体７２は略長方形状の上板４０及び下板４２と上板４０と下板４２を連結する脚部４４を備えており、上板４０の上面には、側端面が略楔状の締結台８０が設けられている。脚部４４は上板４０及び下板４２の周縁部の角部及び中央部に配置され、隣り合う脚部４４と脚部４４の間には、隙間が設けられ挿入部４８とされている。この挿入部４８にフォークリフトやハンドリフトのフォークが挿入可能となっており、該フォークによって運搬部材６８が持ち上げられるようになっている。
【００３２】
また、締結台８０の斜面に沿った両端部には、ボルト７４がねじ込み可能なねじ孔８２が形成されており、載置台５０のねじ孔７８に対応して設けられている。載置台５０を締結台８０に締結させた状態で、載置台５０の載置面５０Ａは締結台８０の上面の斜面に沿って傾斜することとなる。具体的には、支持板５４は締結台８０の頂部側に位置しており、支持板５４の支持面５４Ａが斜め上方へ向かうように傾斜する。
【００３３】
ところで、積層束１２は内装紙１６によって一体的に内装されている。以下、内装済みの積層束１２を積層束５８とする。なお、ここでは、１束の積層束１２を図示したが、複数（例えば３束〜１００束）の積層束１２を一体的に内装しても良い。
【００３４】
内装紙１６は、所定の大きさとされた１枚の長方形状のクラフト紙に、所定の厚さの金属薄膜を貼着し、場合によってはさらにこの金属薄膜上に所定の厚さの樹脂層を貼り合わせて構成されている。
【００３５】
一般に、感光性印刷版は感光性が高く、僅かな可視光波長帯域の光によって露光されても感光層に変化が生じるため、遮光する必要がある。また、感熱性印刷板も、当たる光の熱エネルギーによって感熱層が変質したり、反応進行によって感度変化が起こったりする場合があるため、適度な遮光を行うことが好ましい。
【００３６】
さらに、急激な湿度変化や温度変化を受けると、いずれの印刷板も、感光層又は感熱層に結露が発生して変質したり、合紙１４と接着されてしまったりする等の不都合があるため、防湿する必要が生じる。内装紙１６は上記したように構成されることで一定の遮光性及び防湿性を有するため、平版印刷版１０の感光層又は感熱層の変質が防止され、平版印刷版１０は一定の品質に維持される。
【００３７】
本実施形態では内装紙１６の一例として、載置面５０Ａに載置された複数の積層束１２を一体的に包装するのに十分な大きさとされたクラフト紙に、６〜７μｍのアルミニウム箔が貼着されたものを使用している。
【００３８】
なお、このアルミニウム箔に、１０〜７０μｍの低密度ポリエチレン層を貼着したり、さらにこの低密度ポリエチレン層に、７０μｍ程度の黒ポリエチレンフィルムを貼り合わせて、遮光性及び防湿性を高めた物を使用してもよい。また、内装紙１６が一定の遮光性及び防湿性を発揮できれば、必ずしも低密度ポリエチレン層及び黒ポリエチレンフィルムが貼着されている必要はない。
【００３９】
このような内装紙１６によって積層束１２が一体的に内装され、載置台５０に載置された状態で、内装紙１６の端部が図示しない粘着テープ等の固着手段によって、載置台５０及び支持板５４に固着される。
【００４０】
そして、載置台５０に載置された状態の積層束５８の積層面（載置面５０Ａ側を除く３方向）に平板状の緩衝部材８４を当てがい、リング状のストレッチフィルム３８で載置台５０、積層束５８及び緩衝部材８４を一体にした状態で、積層束５８の側面を巻回して（いわゆる側面巻）、積層束５８及び緩衝部材８４を載置台５０に固定する。
【００４１】
緩衝部材８４としては、ゴム板、発泡材、段ボール、厚紙、ハミカム構造紙等を使用することができる。また、ストレッチフィルム３８として、材質ＬＬＤＰＥ（直鎖状低密度ポリエチレン）で自己粘着性のある、厚さ３５μｍ、幅７５０ｍｍのフィルムを伸び率２００％で使用した。
【００４２】
このように自己粘着性のある材料を使用すると、ストレッチフィルム３８同士を重ね合わせた部分同士を、接着剤や留め具等を使用することなく互いに貼り着けた状態に維持できる。また、ストレッチフィルム３８は、伸縮性のある材料で薄膜状に構成されており、降伏点を超えない範囲で引っ張られると、伸びきってしまうことなく一定値以上の収縮力で収縮する。
【００４３】
このストレッチフィルム３８を、積層束５８が載置される載置台５０の載置面５０Ａの全面にわたって巻回すようにする。これにより、ストレッチフィルム３８の収縮力を、積層束５８を載置面５０Ａの全面に渡って押圧する力として作用させることができ、積層束５８を載置台５０に強固に固定することができる。
【００４４】
なお、ストレッチフィルム３８は、伸長した状態で載置台５０と積層束５８とに巻回し可能であればその形状は限定されず、例えば、ロール状のストレッチフィルム３８を複数回連続して載置台５０と積層束５８とに巻回してもよいし、１又は複数枚のシート状のストレッチフィルム３８をそれぞれ載置台５０と積層束５８とに巻回してもよい。
【００４５】
また、本発明の伸縮性フィルムとしても、上記したストレッチフィルム３８に限定されない。すなわち、伸縮性を有することによって引き伸ばされた状態で収縮力を発揮し、積層束５８を載置台５０に固定することが可能であれば、材質、伸び率、大きさ等は限定されない。
【００４６】
材質としては、例えば、主原料がポリ塩化ビニルでこれに可塑剤を添加したもの、ポリエチレンとポリ酢酸ビニルとで多層構成されたもの、主原料がポリエチレンのもの、上記したＬＬＤＰＥ（直鎖状低密度ポリエチレン）等を挙げることができる。
【００４７】
次に、本実施形態の梱包構造３０の作用を説明する。
【００４８】
図１及び図２に示すように、載置台５０に載置された状態の積層束５８の積層面に緩衝部材８４を当てがい、載置台５０、積層束５８及び緩衝部材８４を一体にした状態でストレッチフィルム３８で側面巻を行い、積層束５８及び緩衝部材８４を載置台５０に固定している。
【００４９】
これにより、図３に示すように、平版印刷版１０に作用する収縮力（仮想線で示す）は緩衝部材８４で緩和されることとなり、平版印刷版１０に大きな収縮力が直接作用することはなく、平版印刷版１０に歪みや変形が生じることを防止することができる。
【００５０】
従って、感光や感熱によって現像した際に像がぼけたり、印刷した際にインクが不均一になる等の問題は生じない。つまり、本発明によれば、当て板１２０（図５参照）を使用することなく、積層束５８を傷つけない状態で載置台５０に固定することができる。
【００５１】
また、図１及び図２に示すように、載置台５０に積層束５８が載置された状態でストレッチフィルム３８が巻回され、ストレッチフィルム３８の収縮力によって、積層束５８と載置台５０とが一体的に固定されるため、積層束５８が載置台５０に対して不用意にズレたり、載置台５０から分離、脱落してしまうことがない。
【００５２】
しかも、ストレッチフィルム３８を載置台５０、積層束５８及び緩衝部材８４に巻回すだけなので、容易に梱包できる。また、当て板１２０を必要としないため、積層束５８が大サイズの平版印刷版１０により構成されている場合でも、積層束５８の梱包及び開梱作業時の負荷が軽減されると共に、積層束５８を梱包するために必要となるリユース部材の量を減少させることができる。
【００５３】
さらに、開梱時には、ストレッチフィルム３８をカッターなどで切断して除去するだけで良いので、作業性も良い。また、ストレッチフィルム３８を巻回して複数の積層束５８を載置台５０に固定することができるので、大量の平版印刷版１０を少ない荷扱い回数で荷扱いできるようになる。
【００５４】
ところで、一般的に平版印刷版１０はサイズが多岐に渡るため、サイズを幾つかのゾーンに分け、数種類の載置台５０で幾つかの製品サイズを兼用している。そのため、載置台５０と積層束５８の間には段差が生じ、ストレッチフィルム３８による側面巻の締結方式においては、締結力低下をもたらす結果となってしまうが、該段差を埋めるように緩衝部材８４を配置することで、締結力の低下を防止することができ、強固な締結を確保することができる。
【００５５】
一方、載置台５０の下部に脚体７２が予め一体となった状態では、ストレッチフィルム３８で載置台５０と共に積層束５８を巻回すとき脚体７２が邪魔になったり、或いは、フォークリフト（運搬装置）などのフォーク（荷受部材）が挿入可能な脚体７２の挿入部４８がストレッチフィルム３８によってふさがれてしまったり、いずれにしても作業性が悪い。
【００５６】
このため、ストレッチフィルム３８で積層束５８、緩衝部材８４及び載置台５０を一体的に包装した後で、載置台５０の下部に脚体７２を固定することで、このような問題点を解決することができ、作業効率が向上する。
【００５７】
また、締結台８０を略楔状とし、載置台５０を締結台８０に締結させた状態で、載置台５０及び支持板５４を傾斜させ、積層束５８を支持板５４に立て掛け、積層束５８の荷重を載置台５０（積層束５８の積層面を支持）及び支持板５４（積層束５８の印刷面を支持）の２面に分散させるようにすることで、梱包を解いた状態で、積層束５８が不用意に倒れたり、ずり落ちたりしないようにすることができる。
【００５８】
また、積層束５８を構成する平版印刷版１０の積層面を載置台５０で支持させ、平版印刷版１０の印刷面を支持板５４に立て掛け、積層束５８をいわゆる縦置き配置することで、平版印刷版１０の枚数の多少に関わらず、梱包構造３０全体としての高さを略一定にすることができる。このため、保管場所で平版印刷版１０の上方に無駄なスペースを生じさせることなく、平版印刷版１０を効率的に保管することができる。
【００５９】
また、平版印刷版１０は自重によって載置台５０側の積層面を揃えた状態で載置されることになるので、例えば平版印刷版１０を製版機に装填する作業が容易になる。
【００６０】
なお、上記した梱包構造３０はあくまで一例であり、本発明がこれらに限定されないことはもちろんである
例えば、上記した梱包構造３０においても、積層束５８はストレッチフィルム３８によって完全に覆われることなく一部分が露出したものを示したが、積層束５８がストレッチフィルム３８によって完全に覆われるようにしてもよい。また、積層束５８が運搬部材６８に対して確実に固定されて不用意に位置ズレしたり脱落したりしないようになっていれば、部分的にのみストレッチフィルム３８を巻回しても良い。
【００６１】
さらに、ストレッチ包装以外にもシュリンク包装で積層束５８を載置台５０に固定するようにしても良い。
【図面の簡単な説明】
【００６２】
【図１】本発明の実施の形態に係る平版印刷版の梱包構造を示す斜視図である。
【図２】本発明の実施の形態に係る平版印刷版の梱包構造を示す分解斜視図である。
【図３】本発明の実施の形態に係る平版印刷版の梱包構造の作用を示す説明図である。
【図４】本発明の平版印刷版の内装済み積層束を示す断面図である。
【図５】従来の平版印刷版の梱包構造を示す斜視図である。
【符号の説明】
【００６３】
１０    平版印刷版
１２    積層束
３０    梱包構造
３８    ストレッチフィルム（伸縮性フィルム）
５０    載置台
５４    支持板（背もたれ）
５８    積層束
７０    載置部
７２    脚体
８４    緩衝部材
【図１】
2006256639.tif 000003
【図２】
2006256639.tif 000004
【図３】
2006256639.tif 000005
【図４】
2006256639.tif 000006
【図５】
2006256639.tif 000007